(57)【特許請求の範囲】
【請求項１】
ＣＤ，ＴＵＮＥＲ，外部音声入力装置（ＡＵＸ、ＡＣＣＳ）の各ファンクションごとに定められたアドレスから成るファンクションテーブルと、
接続された装置のアドレスをチェックし、上記ファンクションテーブル上に存在する時は該テーブルに対応したファンクションへ主制御部からの操作で切り換え可能な状態にする手段を有する主制御部に接続される外部音声入力装置において、
上記主制御部への接続状況を監視する接続監視手段と、
上記接続監視手段の出力に応じて上記主制御部に上記外部音声入力装置に対応したアドレスを出力するアドレス出力手段と、
リモコン信号入力ジャック受けを有する入力コネクタ部と、
該ジャック受けに上記リモコンが挿入されたか否かを検知する接続検知手段と、を備え、
上記アドレス出力手段は上記接続検出手段の出力に応じて前記主制御部に上記外部音性入力装置に係るＡＵＸ、ＡＣＣＳのアドレスのいずれかを出力する手段であることを特徴とする外部音声入力装置。
【発明の詳細な説明】
【０００１】
【発明の属する技術分野】
本発明は外部音声入力装置に係り、特にカーステレオ・システム等の音響機器において、主制御部（センターユニット）に接続する場合、主制御部のファンクションテーブル等を変更することなく、外部音声入力装置側からの操作によるファンクションの切り換え、又はそのアドレスの変更を操作部の接続の有無と連動させて自動的に切り換えるための改良に関する。
【０００２】
【従来の技術】
主制御部（センターユニット）を有するカーステレオ・システムのような音響機器においては、そのシステムのバスラインに外部音声入力装置（ＡＵＸ ＢＯＸ）を接続し、該装置に入力された音声信号を、上記バスラインを介して主制御部に入力することがある。この場合、主制御部は外部音声入力装置の接続を判断し、ファンクションを外部音声入力モード（ＡＵＸモード）に切り換える必要がある。
【０００３】
しかるに上記主制御部を新たに構成するのであれば、初めから外部音声入力装置の接続を想定して設計できるため、外部音声入力モードのファンクションを主制御部側で選択することが可能であり、外部音声入力装置側からのファンクション切り換え操作は必要ない。
【０００４】
【発明が解決しようとする課題】
しかし上記主制御部が既存の構成のままであると、外部音声入力装置の接続を想定しておらず、ファンクションの切り換えテーブルに、外部音声入力モードが存在しないため、このモードに切り換えることができない。そのため外部音声入力装置側から外部音声入力モードへの切り換えを操作する必要がある。
【０００５】
本発明の目的は、主制御部側で接続を想定していない外部音声入力装置を接続しても、その装置のファンクションに切り換えることを可能とすることにある。
【０００６】
本発明の他の目的は、外部音声入力装置を接続する場合に、そのアドレスを変更するためアドレススイッチの切り換えを不要とすることにある。
【０００７】
【課題を解決するための手段】
ＣＤ，ＴＵＮＥＲ，外部音声入力装置（ＡＵＸ、ＡＣＣＳ）の各ファンクションごとに定められたアドレスから成るファンクションテーブルと、
接続された装置のアドレスをチェックし、上記ファンクションテーブル上に存在する時は該テーブルに対応したファンクションへ主制御部からの操作で切り換え可能な状態にする手段を有する主制御部に接続される外部音声入力装置において、
上記主制御部への接続状況を監視する接続監視手段と、
上記接続監視手段の出力に応じて上記主制御部に上記外部音声入力装置に対応したアドレスを出力するアドレス出力手段と、
リモコン信号入力ジャック受けを有する入力コネクタ部と、
該ジャック受けに上記リモコンが挿入されたか否かを検知する接続検知手段と、を備え、
上記アドレス出力手段は上記接続検出手段の出力に応じて前記主制御部に上記外部音性入力装置に係るＡＵＸ、ＡＣＣＳのアドレスのいずれかを出力する手段であることを特徴とする外部音声入力装置。
【００１０】
【発明の実施の形態】
図１は本発明が実施されるカーステレオ・システムのような音響機器システム全体のブロック図である。同図において、１は主制御部としてのセンターユニットで、ＣＰＵ，ＲＡＭ，ＲＯＭ等を有している。２は外部音声入力装置としてのＡＵＸ ＢＯＸで、バスライン３によりセンターユニット１に接続され、センターユニット１との通信を行う。ＡＵＸ ＢＯＸ２には、ＲＣＡ入力の左チャンネル（Ｌｃｈ）６と右チャンネル（Ｒｃｈ）７が設けられ、夫々のチャンネルに入力された音声信号はバスライン３上に出力され、センターユニット１のオーディオ（ＡＵＤＩＯ）左チャンネル（Ｌｃｈ）４と右チャンネル（Ｒｃｈ）５に入力される。センターユニット１の出力はスピーカーＳＰＬとＳＰＲに接続されており、これらスピーカーより音声を出力する。ＡＵＸ ＢＯＸ２には、モード切り換えスイッチ８が接続されている。バスライン３には、ＣＤチェンジャー９のような他の音声ソースユニットも接続され、センターユニット１によってコントロールされるようになっている。
【００１１】
さて、センターユニット１では、ＡＵＸ ＢＯＸ２の接続を想定していないため、図２に示すように、そのファンクション切り換えテーブルにＡＵＸモード（外部音声入力モード）が存在しない。しかし、センターユニット１はその入力がファンクションテーブルに存在しないアドレスのモードに切り換わった場合は、ＡＵＸモードと認識するように構成されている。そのためＡＵＸ ＢＯＸ２のモード切り換えスイッチ８の操作によりアドレス６ＥＨへの切り換えを要求することによってＡＵＸ（外部音声入力）ファンクションを選択することができる。
【００１２】
図３はセンターユニット１が、ＡＵＸ  ＢＯＸ２側のスイッチ８の操作によりＡＵＸモードに切り換わる時のフローチャートである。ＡＵＸ ＢＯＸ２に接続されたスイッチ８が操作された場合や、センターユニット１に内蔵されたＣＤプレーヤにディスクが挿入された等の場合に、図３の処理が実行される。
【００１３】
図３において、モードＯＮ要求があった場合、ＳＴＥＰ１では、センターユニット１はファンクション切り換えテーブルと、モードＯＮ要求をしたユニットのアドレスをチェックし、上記ユニットのアドレスが上記テーブルに存在する時はＳＴＥＰ２に進み、存在しない時はＳＴＥＰ３に進む。ＳＴＥＰ２はファンクション切り換えテーブルに存在するモードに切り換える処理である。ＳＴＥＰ３は、モードＯＮ要求したユニットがＡＵＸ ＢＯＸ２であって、ＡＵＸモードに切り換える処理である。
【００１４】
次に本発明の他の実施形態として、上述した実施形態ではＡＵＸ ＢＯＸ側のスイッチ操作で切り換わる外部音声入力モードをＡＵＸモードと呼んだが、センターユニットで選択するモードをＡＣＣＳモードと呼び、ＡＣＣＳモードとＡＵＸモードを区別するため、夫々に別々のアドレスを割り振って、このＡＣＣＳモードの選択によるＡＵＸ ＢＯＸのアドレス自動切り換え方式について説明する。即ち、ＡＵＸ ＢＯＸを接続する場合、ＡＵＸ ＢＯＸのアドレスを変更しても良い訳で、そのアドレスの切り換えを、操作部（リモコンキー）の接続の有無と連動させ、自動的に切り換える。
【００１５】
本実施形態が適用される音響機器システムは図１と同様の構成であるが、スイッチ８の接続部は図４及び図５の構造となっており、ＡＵＸスイッチ（音声入力コネクタ）の接続の有無を監視識別して自己ファンクションアドレスを出力する。
【００１６】
図４において、ＡＵＸ ＢＯＸ２にはマイクロコンピュータ２１が内蔵され、入力コネクタ部の接続状況に応じたマイコン入力端子のＳＷ ＯＮ検出端子２２及びＳＷ有無検出端子２３の入力から自己ファンクションアドレスの出力及び各種の制御（音声ラインの切り換え、ミュート制御等）を行う。２４はリモコン信号入力ジャック受け、２５は音声入力コネクタで、これらにより入力コネクタ部が構成される。Ｊ１，Ｊ２，Ｊ３はジャック端子で、図５に示すようにジャック受け２４にＡＵＸ ＳＷコネクタ２５が挿入されると、ジャック端子Ｊ１とＪ２は離れるが、挿入されていないと、Ｊ１とＪ２は接触している。ジャック端子Ｊ１はＳＷ  ＯＮ検出端子２２に接続され、Ｊ２はＳＷ有無検出端子２３に接続されていて、該端子２３は抵抗Ｒ２でプルダウンされているが、Ｊ１が抵抗Ｒ１でプルアップされているため、マイクロコンピュータ２１はＡＵＸ ＳＷコネクタ２５が挿入されていない（ＡＵＸスイッチオフ）時は、ＳＷ有無検出端子２３を高レベル（ＨＩＧＨ）と判断し、ＳＷ ＯＮ検出端子２２も高レベルと判断する。
【００１７】
ＡＵＸ ＳＷコネクタ２５が挿入されると、ＡＵＸスイッチ８のオンオフに関係なくＳＷ有無検出端子２３は低レベル（ＬＯＷ）と判断されるが、ＳＷ ＯＮ検出端子２２はＡＵＸスイッチがオフの時は高レベル、オンの時は低レベルと判断される。
【００１８】
図６の表は端子２２，２３の音声コネクタ及びＡＵＸスイッチ８の操作に対応する状態を示す。
【００１９】
図７は電源投入時のマイクロコンピュータ２１の動作として、電源投入時にＡＵＸスイッチの接続の有無を判定し、アドレスを決定することを示すフローチャートである。
図７において、ＳＴＥＰ４ではＡＵＸスイッチの有無（音声コネクタ挿入の有無）を検出し、ＡＵＸスイッチの接続無しと判定されたら、ＳＴＥＰ５に進み、接続有りと判定された場合はＳＴＥＰ６に進む。
【００２０】
ＳＴＥＰ５ではアドレスをＡＵＸ ＢＯＸ２の６ＥＨ（ＡＵＸモード）に設定する。
ＳＴＥＰ６ではアドレスをＡＵＸ ＢＯＸ２の７ＥＨ（ＡＣＣＳモード）に設定する。
ＳＴＥＰ７では、ＳＴＥＰ５，６で設定したアドレスをセンターユニット１に送るので、センターユニット１は何のモードにあるのかを判断できる。
【００２１】
図８はＡＵＸスイッチ８がオンされた場合のフローチャートを示す。図８において、ＳＴＥＰ９では、ＡＵＸスイッチがオンされると、センターユニット１に対してＡＵＸモードをオンさせる要求が出され、センターユニット１はＡＵＸモードに切り換わる。
【００２２】
【発明の効果】
以上説明したように第１の発明によれば、主制御部のファンクション切り換えテーブルに存在していないモードの装置を接続しても、その装置からの操作により、モードを切り換えることができる。
【００２３】
また第２の発明によれば、主制御部に想定していない装置が接続されても、そのアドレスの切り換えがシステムの結線時に自動的に行われるため、ユーザの負担にならず、アドレススイッチの切り換えが必要ないため、切り換えを忘れたり、間違えたりすることがない。
【図面の簡単な説明】
【図１】本発明が適用される音響機器のシステムのブロック図である。
【図２】センターユニットのファンクション切り換えテーブルを示す表である。
【図３】モードオン要求を受けて、ＡＵＸモードに切り換わる時のフローチャートである。
【図４】ＡＵＸスイッチの接続部の構造を示す図である。
【図５】ＡＵＸスイッチの接続時の状態を示す図である。
【図６】マイクロコンピュータの入力端子の状態を示す表である。
【図７】電源投入時のセンターユニットの判断状況を示すフローチャートである。
【図８】ＡＵＸスイッチがオンされた場合のフローチャートである。
【符号の説明】
１  主制御部（センターユニット）
２  外部音声入力装置（ＡＵＸ ＢＯＸ）
８  ＡＵＸスイッチ
２１  マイクロコンピュータ
２２  ＳＷ ＯＮ検出端子
２３  ＳＷ有無検出端子
２４  ジャック受け
２５  ＡＵＸ ＳＷコネクタ
【図１】
0004372277.tif 000002
【図２】
0004372277.tif 000003
【図３】
0004372277.tif 000004
【図４】
0004372277.tif 000005
【図５】
0004372277.tif 000006
【図６】
0004372277.tif 000007
【図７】
0004372277.tif 000008
【図８】
0004372277.tif 000009